(57)【特許請求の範囲】
【請求項１】
機器の外郭を構成する筐体と、
前記筐体の内側に配置された液晶表示部と、
前記液晶表示部を前記筐体の外側から視認可能とするために前記筐体に設けられた開口部と、
前記筐体に備えられた取付部に前記開口部を覆うように取り付けられた表示窓と、
前記筐体の内側に配置され、接地部材に接続された放電経路誘導用の導電部と、
を有する電子機器であって、
前記筐体の横断面で見たときに、前記取付部における当該表示窓と前記筐体との隙間が前記筐体の外側に臨む表面位置を始点として、前記隙間を通り、前記液晶表示部を終点とする、静電気の放電経路に沿った第１沿面距離が、少なくとも、前記表面位置を始点として前記隙間を通り前記導電部を終点とする静電気の放電経路に沿った第２沿面距離よりも、大きくなるように、構成されており、
前記取付部は、
前記開口部の近傍に、前記筐体の外側から前記表示窓を収納するように設けられた段差部であり、
前記段差部は、
取付時に前記表示窓を密着させる取付面と、
前記取付面の面方向に沿って配置され、前記段差部を厚さ方向に貫通する複数の貫通孔と、
前記取付面に前記複数の貫通孔を覆うように設けられ、金属印刷材料により形成された金属被覆部と、
を備えている
ことを特徴とする電子機器。
【請求項２】
請求項１記載の電子機器において、
前記導電部は、
前記段差部よりも前記筐体の内側に設けられており、
前記第１沿面距離及び前記第２沿面距離は、
前記段差部に収納された状態の前記表示窓の厚さ方向寸法と、
前記段差部の厚さ方向寸法と、
を含むことを特徴とする電子機器。
【請求項３】
請求項２記載の電子機器において、
前記筐体は、
前記開口部の外郭を構成するように、前記取付部から前記筐体の内側へと延びる筒状部を備えており、
前記導電部は、
前記筒状部よりも当該筒状部の径方向外周側に設けられており、
前記液晶表示部は、
前記筒状部よりも前記筐体の内側に設けられており、
前記第１沿面距離は、
前記筒状部の軸方向寸法を含むことを特徴とする電子機器。
【請求項４】
請求項３記載の電子機器において、
前記複数の貫通孔は、
前記取付面の面方向に沿って所定のピッチで配置されており、
前記第１沿面距離が、前記第２沿面距離と前記所定ピッチの最大値との合算値よりも、大きくなるように構成されている
ことを特徴とする電子機器。
【請求項５】
請求項２乃至請求項４のいずれか１項記載の電子機器において、
前記導電部は、
基材上に導電材料により形成された接地用配線パターンとは別に設けられ、前記接地用配線パターンに接続された導通部材である
ことを特徴とする電子機器。
【請求項６】
請求項２乃至請求項４のいずれか１項記載の電子機器において、
前記導電部は、
基材上に導電材料により形成された接地用配線パターンである
ことを特徴とする電子機器。
【請求項７】
請求項２乃至請求項６のいずれか１項記載の電子機器において、
前記筐体が、
前記開口部及び前記段差部を備えた樹脂製の上カバーと、前記導電部及び前記液晶表示部を介在させつつ前記上カバーに嵌め合わされる樹脂製の下カバーと、
を有し、
前記下カバーに、
カートリッジを装着可能なカートリッジホルダと、
前記カートリッジホルダに装着した前記カートリッジより供給される被印字テープに対し印刷を行い、印字ラベルを作成する印字ヘッドと、
を設けた、
印字ラベル作成装置であることを特徴とする電子機器。
【発明の詳細な説明】
【技術分野】
【０００１】
本発明は、液晶表示部を備えた電子機器に関する。
【背景技術】
【０００２】
電子機器において、例えば、筐体内部の機器が誤動作する等の不具合が生じないように、静電気の放電経路を設ける技術が知られている（例えば、特許文献１参照)。この従来技術においては、樹脂製の筐体（パネルベース）内に設けたマイクロプロセッサ等の静電気による誤動作を防止するために、筐体の最前面に金属製パネルを配置し、この金属製パネルを上記パネルベースを貫通して配置した導電部（アースプレート）に接続している。これにより、操作者の指などに帯電した静電気を金属製パネルから導電部を介しシャーシへと誘導して、筐体内への放電を防止している。
【先行技術文献】
【特許文献】
【０００３】
【特許文献１】実開昭６１−２０６２６４号公報
【発明の概要】
【発明が解決しようとする課題】
【０００４】
しかしながら、電気機器の外観デザイン上の理由により、上記従来技術のような金属製のパネルを省略し、樹脂製の筐体そのもので筐体の最前面を構成したい場合がある。この場合は、美観の観点から、導電部を樹脂製の筐体最前面に露出させることはできず、導電部を筐体の裏側に配置することとなる。この場合、上記従来技術のように金属製のパネルにより導電部へ直接的に静電気を誘導することができない。したがって、機器内部を保護するためには、導電部への静電気の放電経路を新たに形成する必要がある。上記従来技術においては、そのような場合にまで特に配慮されていなかった。
【０００５】
本発明の目的は、筐体の最前面に金属パネルを設けず筐体自体で最前面を構成する場合であっても、筐体の内側に設けた導電部へ放電経路を確実に誘導することができる、電子機器を提供することにある。
【課題を解決するための手段】
【０００６】
上記目的を達成するために、第１の発明は、機器の外郭を構成する筐体と、前記筐体の内側に配置された液晶表示部と、前記液晶表示部を前記筐体の外側から視認可能とするために前記筐体に設けられた開口部と、前記筐体に備えられた取付部に前記開口部を覆うように取り付けられた表示窓と、前記筐体の内側に配置され、接地部材に接続された放電経路誘導用の導電部と、を有する電子機器であって、前記筐体の横断面で見たときに、前記取付部における当該表示窓と前記筐体との隙間が前記筐体の外側に臨む表面位置を始点として、前記隙間を通り、前記液晶表示部を終点とする、静電気の放電経路に沿った第１沿面距離が、少なくとも、前記表面位置を始点として前記隙間を通り前記導電部を終点とする静電気の放電経路に沿った第２沿面距離よりも、大きくなるように、構成されており、前記取付部は、前記開口部の近傍に、前記筐体の外側から前記表示窓を収納するように設けられた段差部であり、前記段差部は、取付時に前記表示窓を密着させる取付面と、前記取付面の面方向に沿って配置され、前記段差部を厚さ方向に貫通する複数の貫通孔と、前記取付面に前記複数の貫通孔を覆うように設けられ、金属印刷材料により形成された金属被覆部と、を備えていることを特徴とする。
【０００７】
本願第１発明の電子機器は、筐体を備えている。筐体の内側には液晶表示部が設けられ、その液晶表示部は、開口部とその開口部を覆う表示窓とを介し、筐体外側から視認することができる。また、筐体の内部と外部との間で発生した静電気が筐体の内部に対して放電する場合に、当該静電気の放電によるＬＣＤの誤動作や破壊を防止するために、筐体の内側には静電気の放電経路を誘導する導電部が設けられている。
【０００８】
このとき筐体外部からの放電経路は、まず、表示窓と筐体との隙間の筐体の外側に臨む表面位置から侵入し、当該隙間を通ってから、筐体の内部へと進む。そこで、本願第１発明では、放電経路を上記導電部に確実に導くために、筐体の横断面上で見た、上記隙間の表面位置から当該隙間を通って導電部へ至るまでの、部材表面に沿った第２沿面距離を、上記隙間の表面位置から当該隙間を通って液晶表示部へ至るまでの、部材表面に沿った第１沿面距離よりも小さくしている。これにより、仮に表示窓と筐体との隙間から放電が発生したとしても、当該放電の経路は、距離の短い導電部へと導かれ、さらに導電部によって接地部材に導かれることで接地放電されて除去される。
【０００９】
以上のようにして、本願第１発明においては、筐体の開口部の奥に液晶表示部を設け、最前面を筐体自体とする場合であっても、当該筐体の内側に設けた導電部へ放電経路を確実に誘導し、液晶表示部を含む機器内部を確実に保護することができる。
また、段差部に表示窓を収納して開口部を覆うことにより、筐体の最前面側の美観を向上することができる。
さらに、金属被覆部を設けることで放電経路に金属部分を含むことになり、静電気は、優先的に金属中を流れた後に、貫通孔を介し導電部へと導かれる。これにより、気中放電部分の沿面距離が短縮される結果、さらなる静電気除去性能の向上を図ることができるとともに、金属被腹部によって美観を向上することもできる。
【００１０】
第２発明は、上記第１発明において、前記導電部は、前記段差部よりも前記筐体の内側に設けられており、前記第１沿面距離及び前記第２沿面距離は、前記段差部に収納された状態の前記表示窓の厚さ方向寸法と、前記段差部の厚さ方向寸法と、を含むことを特徴とする。
【００１１】
段差部より内側に設けた導電部に対し、当該段差部の厚さ方向寸法を加味して第１沿面距離及び第２沿面距離を設定し適用することにより、段差部より内側に設けた導電部へ放電経路を確実に誘導することができる。
【００１２】
第３発明は、上記第２発明において、前記筐体は、前記開口部の外郭を構成するように、前記取付部から前記筐体の内側へと延びる筒状部を備えており、前記導電部は、前記筒状部よりも当該筒状部の径方向外周側に設けられており、前記液晶表示部は、前記筒状部よりも前記筐体の内側に設けられており、前記第１沿面距離は、前記筒状部の軸方向寸法を含むことを特徴とする。
【００１３】
これにより、筐体外部から見て筒状部の奥に液晶表示部が配置された構造において、少なくとも、当該筒状部の奥行き寸法の分だけ第１沿面距離を長くし、液晶表示部を確実に静電気から保護することができる。
【００１４】
第４発明は、上記第３発明において、前記複数の貫通孔は、前記取付面の面方向に沿って所定のピッチで配置されており、前記第１沿面距離が、前記第２沿面距離と前記所定ピッチの最大値との合算値よりも、大きくなるように構成されていることを特徴とする。
【００１５】
本願第４発明においては、取付面に所定ピッチで複数の貫通孔を設ける。この場合に想定される静電気の放電経路は、表示窓と筐体との隙間から侵入して取付面に至った後、取付面で面方向に沿っていずれかの貫通孔へと導かれ、当該貫通孔から導電部へと導かれる。したがって、この放電経路の長さを考える場合には、少なくとも、前述のように筐体の横断面で見て考えた、上記表面位置を始点として隙間を通り導電部を終点とする第２沿面距離に加え、取付面で面方向に沿っていずれかの貫通孔へと導かれるときの距離も加味する必要がある。
そこで本願第４発明においては、上記第２沿面距離に対し上記貫通孔間の距離（ピッチ）のうちの最大値を加え、この合算値が、上記第１沿面距離よりも小さくなるように設定している。これにより、段差部の取付面に表示窓を密着させて取り付ける上記のような構造において静電気が侵入したとしても、当該放電経路を確実に貫通孔を介して導電部へと導くことができる。
【００１６】
また、段差部を貫通して段差部のすぐ裏側に設けた導電部に静電気を導入可能となるので、筒状部の長さを極力短くして液晶表示部をなるべく筐体表面に接近させることができ、筐体内の無駄なスペースを低減することができる。さらに、導電部と液晶表示部との配置箇所を相互に独立して設定可能となるので、筐体内レイアウトの自由度が向上し、また導電部の変更・交換等をする場合であっても液晶表示部やその取付部分である筒状部に対し影響を及ぼさない。
【００１７】
第５発明は、上記第２乃至第４発明のいずれかにおいて、前記導電部は、基材上に導電材料により形成された接地用配線パターンとは別に設けられ、前記接地用配線パターンに接続された導通部材であることを特徴とする。
【００１８】
電子機器に一般的に設けられている接地用配線パターンに導通部材を接続し、導通部材に導入した静電気を上記接地用配線パターンに導くことで、確実に静電気の除去を行うことができる。
【００１９】
第６発明は、上記第２乃至第４発明のいずれか１つにおいて、前記導電部は、基材上に導電材料により形成された接地用配線パターンであることを特徴とする。
【００２０】
電子機器に一般的に設けられている接地用配線パターン自体を導電部として用い、確実に静電気の除去を行うことができる。また、新たに導通部材等を設ける場合に比べて部品点数を低減し、構造を簡素化することができる。
【００２３】
第７発明は、上記第２乃至第６発明のいずれか１つにおいて、前記筐体が、前記開口部及び前記段差部を備えた樹脂製の上カバーと、前記導電部及び前記液晶表示部を介在させつつ前記上カバーに嵌め合わされる樹脂製の下カバーと、を有し、前記下カバーに、カートリッジを装着可能なカートリッジホルダと、前記カートリッジホルダに装着した前記カートリッジより供給される被印字テープに対し印刷を行い、印字ラベルを作成する印字ヘッドと、を設けた、印字ラベル作成装置であることを特徴とする。
【００２４】
これにより、上カバー及び下カバーを備えた筐体にカートリッジを装着し被印字テープを用いて印字ラベルを作成する印字ラベル作成装置において、最前面が樹脂筐体となる場合でも放電経路を確実に誘導し、液晶表示部を含む印字ラベル作成装置の内部を確実に保護することができる。
【発明の効果】
【００２５】
本発明によれば、筐体の最前面に金属パネルを設けず筐体自体で最前面を構成する場合であっても、筐体の内側に設けた導電部へ放電経路を確実に誘導することができる。
【図面の簡単な説明】
【００２６】
【図１】印字ラベル作成装置を斜め上方向から見た外観を表す斜視図である。
【図２】透明パネルを外した状態での印字ラベル作成装置の外観を表す平面図である。
【図３】図２中Ａ−Ａ断面による側断面図である。
【図４】図２中Ｂ−Ｂ断面による側断面図である。
【図５】印字ラベル作成装置の分解斜視図である。
【図６】カートリッジカバーを取り外した状態を表す斜視図である。
【図７】カートリッジの内部構造を表す拡大平面図である。
【図８】表示窓と筐体との間の隙間から取付部の貫通孔を通って導電部までに至るまでの放電経路を概念的に表す部分断面図である。
【図９】表示窓と筐体との間の隙間から導電部までに至るまでの放電経路を概念的に表す部分断面図である。
【発明を実施するための形態】
【００２７】
以下、本発明の一実施の形態を図面を参照しつつ説明する。
【００２８】
本実施形態は、本発明を電子機器としての印字ラベル作成装置１に適用したものである。この印字ラベル作成装置１は、所望の印刷を行った印字済ラベル用テープを所定の長さに切断することにより印字ラベルを作成するものである。まず、この印字ラベル作成装置１の概略構成について説明する。
【００２９】
図１は、印字ラベル作成装置１を斜め上方向から見た外観を表す斜視図である。
【００３０】
図１に示すように、印字ラベル作成装置１の外郭を構成する筐体２は、装置下面を構成しかつ装置側面と一体となった樹脂製の下カバー１５と、装置上面を構成する樹脂製の上カバー１７とにより構成されている。上カバー１７は、上面後部側にてカートリッジ８を装着するために開放可能とした、カートリッジカバー１７ａを備えている。上カバー１７には、前方向から後方向に向けて、文字入力等の種々の操作が行われるキーボード３と、電源スイッチや印刷キー等の印字ラベル作成装置１の各種機能を実行させるための機能キー群４と、例えば矩形開口状の開口部６と、この開口部６を塞ぐように装着された透明パネル７（表示窓）とが設けられている。開口部６の内側には、入力した文字や記号等を表示するための液晶ディスプレイ（液晶表示部）５が配置されている。また、下カバー１５の例えば側面後方側には、印刷された印字済ラベル用テープ１０９（後述の図７参照）をカットするためのカッターレバー（図示せず）が設けられている。
【００３１】
図２は、上記透明パネル７を外した状態での印字ラベル作成装置１の外観を表す平面図である。図３は、図２中Ａ−Ａ断面による側断面図であり、図４は、図２中Ｂ−Ｂ断面による側断面図である。
【００３２】
これら図２〜図４において、上記開口部６は、液晶ディスプレイ５を筐体２の外側から視認可能とするために当該筐体２に設けられている。この開口部６の上端開口縁部には、断面Ｌ字形の段差形状の取付部６ａ（段差部）が上記表示窓７を収納可能に設けられている。すなわち、この取付部６ａに対し、開口部６全体を覆うようして上記透明パネル７が取り付けられる。また、取付部６ａの上記透明パネル７を密着させる上面６ｃ（取付面。後述の図８参照）には、面方向に沿って所定のピッチｐで、当該取付部６ａを厚さ方向に貫通する複数の貫通孔６ｂが穿設されている。なお、この取付部６ａの上面６ｃには、金属印刷材料により金属被覆部７ａ（メタリック印刷部）が設けられている。さらに、開口部６の外郭を構成するように、取付部６ａから筐体２の内側へ向けて角筒状の筒状部３１が延設されており、上記液晶ディスプレイ５は筒状部３１の下端部の下方（言い換えれば筐体２の内側）に設けられている。
【００３３】
図５は、印字ラベル作成装置１の分解斜視図である。この図５及び上記図２〜図４において、筐体２の内部には、例えば液晶ディスプレイ５の下側に配置され、電子素子（ＩＣチップ等）を実装したメイン基板（図示せず）と、メイン基板にコネクタ５ａ（後述の図５参照）を介して接続され、複数のキー用接点を有するキー基板５０とが設けられている。詳細には、下カバー１５の内側に液晶ディスプレイ５が取り付けられ、その上にキー基板５０が取り付けられる。
【００３４】
キー基板５０は、基材上に導電材料により形成した配線パターンを電気絶縁性のレジスト層により被覆したプリント配線基板である。また、キー基板５０は、その後部中央に矩形状の切欠部５０ａが形成されており、この切欠部５０ａ位置より下側に上記液晶ディスプレイ５が斜めに配置されている。これにより、当該切欠部５０ａを介して液晶ディスプレイ５を上方の透明パネル７から視認可能となっている。
【００３５】
また、キー基板５０は、基材上に導電材料により形成された回路用配線パターン及び接地用配線パターンと、回路用配線パターンに接続されカーボン等により形成された複数のキー用接点と、を有している。
【００３６】
キー用接点は、前述したキーボード３及び機能キー群４を構成する各キーに対応する位置にそれぞれ設けられている。このキー用接点は、操作者がキーボード３及び機能キー群４の各キーを操作した際に閉成される。これにより対応する操作信号がキー基板５０よりコネクタ５ａ（またはハーネス）を経由してメイン基板に入力され、操作信号に対応する動作制御が行われる。
【００３７】
回路用配線パターンは、少なくとも１つのキー用接点と対応するコネクタ５ａの端子とを接続してキー回路を構成するものであり、端子孔とキー用接点との間、及び複数のキー用接点同士の間にそれぞれ配線されている。
【００３８】
接地用配線パターンは、例えば回路用配線パターンの周囲を覆うように、キー基板の外周部に沿って、端子孔の穿設部分を除く基板周囲全体に形成されている。この接地用配線パターンは、コネクタ５ａを経由してＤＣジャック（図示せず）に接続されている。このＤＣジャックには、外部電源としてのＡＣアダプター（図示せず）の出力プラグが接続される。このＡＣアダプターを介して接地用配線パターンは筐体２の外部へ接地されている。すなわち、ＡＣアダプター及びＤＣジャックが接地部材として機能している。
【００３９】
さらに、筐体２の内側（詳細には上カバー１７の裏面側）には、筐体２の内部と外部との間で発生した静電気が筐体２の内部に対して放電する場合の、当該静電気の放電による液晶ディスプレイ５の誤動作や破壊を防止することを目的として、静電気の放電経路を誘導する導通部材３２（導電部）が設けられている。
【００４０】
導通部材３２は、段差部である取付部６ａよりも上カバー１７の内側に設けられており、この例では矩形枠板状の板金により構成されている。また、導通部材３２は、筒状部３１の径方向外周側に、上記複数の貫通孔６ｂそれぞれの下側開口部を塞ぐようにして配置されている。このとき、導通部材３２は、放電経路誘導用のためのばね部３２ａを備えており、このばね部３２ａが上記キー基板５０の接地用配線パターンに接触することにより、静電気をキー基板５０へと逃がすように図られている。
【００４１】
図６は、カートリッジカバー１７ａを取り外した状態を表す斜視図であり、図７は、カートリッジ８の内部構造を模式的に表す拡大平面図である。
【００４２】
これら図６及び図７において、印字ラベル作成装置１の上面後部側には、印字済ラベル用テープ１０９を供給するカートリッジ８を着脱可能なカートリッジホルダ９が設けられている。このカートリッジホルダ９は、上記カートリッジカバー１７ａによって常時閉塞されており、カートリッジカバー１７ａを開放するとカートリッジホルダ９が露出されるようになっている。カートリッジホルダ９には、カートリッジ８内の使用済みのインクリボン１０５を巻き取るためのリボン巻取りローラ駆動軸１０７と、印字済ラベル用テープ１０９を搬送するためのテープ送りローラ駆動軸１０８とが設けられている。またカートリッジホルダ９には、カバーフィルム１０３（被印字テープ）に所望の印刷を行う印字ヘッド２３が、カートリッジ８の装着時にその開口部に位置するように設けられている。
【００４３】
カートリッジ８は、筐体８Ａと、この筐体８Ａ内に配置され帯状の基材テープ１０１が巻回された第１ロール１０２（実際は渦巻き状であるが、図では簡略的に同心円状に示す）と、上記基材テープ１０１と略同じ幅である透明なカバーフィルム１０３が巻回された第２ロール１０４（実際は渦巻き状であるが、図では簡略的に同心円状に示す）と、上記インクリボン１０５（熱転写リボン、但し被印字テープが感熱テープの場合は不要）を繰り出すリボン供給側ロール１１１と、印字後のインクリボン１０５を巻取るリボン巻取りローラ１０６と、カートリッジ７のテープ排出部の近傍に回転可能に支持されたテープ送りローラ２７とを有する。
【００４４】
第１ロール１０２は、リール部材１０２ａの周りに上記基材テープ１０１を巻回している。基材テープ１０１は、例えば、内側に巻かれる側よりその反対側へ向かって、貼り合わせ用の粘着剤層、ベースフィルム、貼り付け用の粘着剤層、剥離紙の順序で積層され構成されている。第２ロール１０４は、リール部材１０４ａの周りに上記カバーフィルム１０３を巻回している。
【００４５】
テープ送りローラ２７は、上記基材テープ１０１と上記カバーフィルム１０３とを押圧し接着させ上記印字済みラベル用テープ１０９としつつ、図７中矢印Ａで示す方向にテープ送りを行う。なお、リボン巻取りローラ１０６及びテープ送りローラ２７は、図示しない搬送用モータの駆動力が上記リボン巻取りローラ駆動軸１０７及びテープ送りローラ駆動軸１０８に伝達されることによって、連動して回転駆動される。
【００４６】
また、印字済ラベル用テープ１０９の搬送経路に沿ってテープ送りローラ２７及び圧着ローラ２８の下流側には、上記カッターレバーの操作により印字済ラベル用テープ１０９を所定の長さに切断するための、固定刃４０及び可動刃４１が設けられている。
【００４７】
上記構成において、カートリッジ７が上記カートリッジホルダ６に装着されると、カバーフィルム１０３及びインクリボン１０５が印字ヘッド２３とプラテンローラ２６との間に狭持されるとともに、基材テープ１０１及びカバーフィルム１０３がテープ送りローラ２７と圧着ローラ２８との間に狭持される。そして、リボン巻取りローラ１０６及びテープ送りローラ２７が図７中矢印Ｂ及び矢印Ｃで示す方向にそれぞれ同期して回転駆動される。このとき、テープ送りローラ駆動軸１０８の駆動に伴いテープ送りローラ２７、圧着ローラ２８、及びプラテンローラ２６が回転し、第１ロール１０２から基材テープ１０１が繰り出され、テープ送りローラ２７へ供給される。一方、第２ロール１０４からはカバーフィルム１０３が繰り出されるとともに、印刷駆動回路（図示せず）により印字ヘッド２３の複数の発熱素子が通電される。この結果、カバーフィルム１０３の裏面に印字が印刷される。
【００４８】
そして、上記基材テープ１０１と上記印刷が終了したカバーフィルム１０３とが上記テープ送りローラ２７及び圧着ローラ２８により接着されて一体化されて印字済みラベル用テープ１０９として形成され、テープ排出部よりカートリッジ７外へと搬出される。カバーフィルム１０３への印字が終了したインクリボン１０５は、リボン巻取りローラ駆動軸１０７の駆動によりリボン巻取りローラ１０６に巻取られる。
【００４９】
その後、印字済ラベル用テープ１０９は、上記カッターレバーの操作に基づく固定刃４０及び可動刃４１の協働によって所定の長さに切断され、印字ラベル（図示せず）が生成される。
【００５０】
以上説明した本実施形態の印字ラベル作成装置１において、最大の特徴は、上記開口部６における放電経路の構造にある。以下、その詳細をについて説明する。
【００５１】
図８は、透明パネル７と筐体２との間の隙間Ｇから取付部６ａの貫通孔６ｂを通って導通部材３２までに至るまでの放電経路を概念的に表す部分断面図である。
【００５２】
図８において、前述したように、開口部６の取付部６ａから筐体２の内側へ筒状部３１が延設され、この筒状部３１の径方向外周側に、上記複数の貫通孔６ｂそれぞれの下側開口部を塞ぐようにして導通部材３２が配置されている。
【００５３】
そして、本実施形態では、筐体２（詳細には上カバー１７）の外部からの放電経路が、以下のように形成されるように、開口部６、液晶ディスプレイ５、筐体２、及び導通部材３２を構成・配置している。すなわち、図８において、静電気の放電経路は、透明パネル７と上カバー１７との隙間Ｇの上カバー１７の外側に臨む表面位置から侵入し、当該隙間Ｇを通ってから上カバー１７の内部へと進むこととなる。
【００５４】
本実施形態においては、この静電気の放電経路を上記導通部材３２に確実に導くために、図８に示すように、上カバー１７の横断面上で見た隙間Ｇの表面位置から当該隙間Ｇを通って導通部材３２へ至るまでの、部材表面に沿った上記放電経路Ｒ１の沿面距離Ｌ１（第２沿面距離）を、隙間Ｇの表面位置から当該隙間Ｇを通って液晶ディスプレイ５へ至るまでの、部材表面に沿った放電経路Ｒ２の沿面距離Ｌ２（第１沿面距離）よりも小さくしている。すなわち、沿面距離Ｌ２は、上記の透明パネル７の厚さ方向寸法ｔと、取付部６ａの厚さ方向寸法ｕと、筒状部３１の軸方向寸法（奥行き寸法）ｖとを含んでいる。一方、沿面距離Ｌ１は、取付部６ａに収納された状態の透明パネル７の厚さ方向寸法ｔと、取付部６ａの厚さ方向寸法ｕとを含み、筒状部の軸方向寸法ｖは含まない。このように、隙間Ｇの表面位置から導通部材３２へ至るまでの放電経路Ｒ１の沿面距離Ｌ１を、隙間Ｇの表面位置から液晶ディスプレイ５へ至るまでの放電経路Ｒ２の沿面距離Ｌ２よりも小さくすることにより、仮に透明パネル７と上カバー１７との隙間Ｇから放電が発生したとしても、当該放電の経路は、距離の短い導通部材３２へと導かれる。ただし、ここでいう沿面距離とは、気体中を通って放電する場合（気中放電）の距離を表しており、放電経路の途中に金属などの導体がある場合は、その導体部分の距離は沿面距離には含まれない。
【００５５】
ところで、前述したように、貫通孔６ｂは、複数個が取付部６ａの上面６ｃの面方向に沿って所定のピッチｐで設けられている。したがって、取付部６ａの上面６ｃのうち貫通孔６ｂではない部分で静電気が生じた場合に想定される放電経路は、透明パネル７と上カバー１７との隙間Ｇから侵入して取付部６ａに至った後、取付部６ａで面方向に沿っていずれかの貫通孔６ｂへと導かれ、当該貫通孔６ｂから導通部材３２へと導かれることとなる。したがって、この放電経路の長さを考える場合には、少なくとも、上カバー１７の横断面で見て考えた表面位置を始点として隙間Ｇを通り導通部材３２を終点とする沿面距離Ｌ１に加え、取付部６ａで面方向に沿っていずれかの貫通孔６ｂへと導かれるときの距離も加味する必要がある。
【００５６】
そこで、本実施形態では、上記の条件に加えてさらに、沿面距離Ｌ１に対し上記ピッチｐの最大値を加え、この合算値Ｌ１＋ｐが、沿面距離Ｌ２よりも小さくなるように、すなわち、
Ｌ１＋ｐ＜Ｌ２
となるように設定している。これにより、貫通孔６ｂの上面６ｃに透明パネル７を密着させて取り付ける上記のような構造において静電気が侵入したとしても、放電経路を確実に貫通孔６ｂを介して導通部材３２へと導くことができる。
【００５７】
以上説明したように、本実施形態の印字ラベル作成装置によれば、隙間Ｇの表面位置から導通部材３２へ至るまでの放電経路Ｒ１の沿面距離Ｌ１を、隙間Ｇの表面位置から液晶ディスプレイ５へ至るまでの放電経路Ｒ２の沿面距離Ｌ２よりも小さくすることにより、仮に透明パネル７と上カバー１７との隙間Ｇから放電が発生したとしても、当該放電の経路は、距離の短い導通部材３２へと導かれ、さらに導通部材３２によってキー基板５０の接地用配線パターンに導かれることで接地放電されて除去される。これにより、本実施形態においては、上カバー１７の開口部６の奥に液晶ディスプレイ５を設け、最前面を樹脂製の上カバー１７自体とする場合であっても、当該上カバー１７の内側に設けた導通部材３２へ放電経路を確実に誘導し、液晶ディスプレイ５を含む機器内部を確実に保護することができる。
【００５８】
また、本実施形態では特に、沿面距離Ｌ１と貫通孔６ｂ間のピッチｐの最大値との合算値Ｌ１＋ｐが、沿面距離Ｌ２よりも小さくなるように設定している。これにより、貫通孔６ｂの上面６ｃに透明パネル７を密着させて取り付ける上記のような構造において静電気が侵入したとしても、確実に貫通孔６ｂを介して導通部材３２へと導くことができる。また、貫通孔６ｂを貫通して貫通孔６ｂのすぐ裏側に設けた導通部材３２に静電気を導入可能となるので、筒状部３１の長さを極力短くして液晶ディスプレイ５をなるべく上カバー１７表面に接近させることができ、上カバー１７内の無駄なスペースを低減することができる。さらに、導通部材３２と液晶ディスプレイ５との配置箇所を相互に独立して設定可能となるので、上カバー１７内レイアウトの自由度が向上し、また導通部材３２の変更・交換等をする場合であっても液晶ディスプレイ５やその取付部分である筒状部３１に対し影響を及ぼさない。
【００５９】
また、本実施形態では特に、導通部材３２が、段差部である取付部６ａよりも上カバー１７の内側に設けられている。これにより、取付部６ａに透明パネル７を収納して開口部６を覆うことにより、上カバー１７の最前面側の美観を向上することができる。また、前述のように、取付部６ａより内側に設けた導通部材３２に対し、当該取付部６ａの厚さ方向寸法を加味して沿面距離Ｌ２及び沿面距離Ｌ１を設定し適用することにより、取付部６ａより内側に設けた導通部材３２へ放電経路を確実に誘導することができる。
【００６０】
また、本実施形態では特に、導通部材３２は、筒状部３１よりも当該筒状部３１の径方向外周側に設けられ、液晶ディスプレイ５は筒状部３１よりも上カバー１７の内側に設けられている。そして、沿面距離Ｌ２は、筒状部３１の軸方向寸法（奥行き寸法）ｖを含んでいる。これにより、上カバー１７外部から見て筒状部３１の奥に液晶ディスプレイ５が配置された構造において、少なくとも、当該筒状部３１の奥行き寸法ｖの分だけ沿面距離Ｌ２を長くし、液晶ディスプレイ５を確実に静電気から保護することができる。
【００６１】
また、本実施形態では特に、透明パネル７を密着させる取付部６ａの上面６ｃに、金属印刷材料により金属被覆部７ａ（メタリック印刷部）が設けられている。すなわち、本実施形態では、更に確実に静電気除去性能を向上できるように、取付部６ａに導電性の高い金属被覆部７ａを設けている。この場合、放電経路に金属部分を含むことにより、静電気は優先的に金属中を流れるので、気中放電部分の沿面距離が短縮される。この結果、さらなる静電気除去性能の向上と共に、美観を向上することも可能となる。
【００６２】
なお、本発明は、上記実施形態に限られるものではなく、その技術思想を逸脱しない範囲内で種々の変形が可能である。以下、そのような変形例を説明する。
【００６３】
（１）導通部材を省略する場合
上記実施形態においては、キー基板５０に接続させて導通部材３２を設けたが、これに限られない。すなわち、導通部材３２を省略し、キー基板５０の接地用配線パターン自体を導通部材３２に代わる導通部として用いることもできる。この場合、放電経路を確実に導くことができ、しかも上記実施形態のように別途導通部材等を設ける場合に比べて部品点数を低減し、構造を簡素化することができる。
【００６４】
（２）取付部の構造のバリエーション
上記実施形態においては、図８に示したように、筒状部３１を備え横断面形状がＬ字状の段差部である取付部６ａを用いて透明パネル７を設置したが、これに限られない。すなわち、筒状部３１を省略した、略枠形状の取付部６ａを用いて透明パネル７を設置するようにしてもよい。
【００６５】
図９は、この変形例における、透明パネル７と上カバー１７との間の隙間Ｇから導通部材３２までに至るまでの放電経路を概念的に表す部分断面図であり、上記図８に対応する図である。
【００６６】
図９において、この変形例では、前述のように、筐体２の内側へと形成されていた筒状部３１が削除され、取付部６ａには貫通孔６ｂが形成されていない。導通部材３２は、図示しない支持部材により、透明パネル７の金属被覆部７ａに対向して離隔配置される。その際、上記実施形態と同様、図９に示すように、上カバー１７の横断面上で見た隙間Ｇの表面位置から当該隙間Ｇを通って導通部材３２へ至るまでの、部材表面に沿った上記放電経路Ｒ１の沿面距離Ｌ１（第２沿面距離）が、隙間Ｇの表面位置から当該隙間Ｇを通って液晶ディスプレイ５へ至るまでの、部材表面に沿った放電経路Ｒ２の沿面距離Ｌ２（第１沿面距離）よりも小さくなっている。
【００６７】
本変形例によっても、上記実施形態同様、沿面距離Ｌ１を沿面距離Ｌ２よりも小さくすることで、仮に透明パネル７と上カバー１７との隙間Ｇから放電が発生したとしても、距離の短い導通部材３２へと導かれ、液晶ディスプレイ５を含む機器内部を確実に保護することができる。また、本変形例では、液晶ディスプレイ５をなるべく上カバー１７表面に接近させることができ、上カバー１７内の無駄なスペースを低減することができる。さらに、導通部材３２と液晶ディスプレイ５との配置箇所を相互に独立して設定可能となるので、上カバー１７内レイアウトの自由度が向上する効果もある。
【００６８】
（３）その他
また、以上においては、印刷の終了した印字済ラベル用テープ１０９をカッタで切断して印字ラベルを作成する場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタで切断しなくても、テープが排出された後にラベル台紙（対応する印字がなされたもの）のみをテープから剥がして印字ラベルを作成しても良く、本発明はこのようなものに対しても適用できる。
【００６９】
また、以上においては、基材テープ１０１とは別のカバーフィルム１０３に印刷を行ってこれらを貼り合わせる方式であったが、これに限られず、印字テープに備えられた被印字テープ層に印字を行う方式（貼りあわせを行わないタイプ）に本発明を適用してもよい。
【００７０】
また以上では、電子機器の一例として印字ラベル作成装置１に本発明を適用した場合を説明したが、その他にも、例えばＰＣ、携帯端末、携帯電話、電子楽器、電子計算機、ゲーム機等、プリント配線基板を有する電子機器であれば本発明は種々の電子機器に対して適用可能である。
【００７１】
また、以上既に述べた以外にも、上記実施形態や各変形例による手法を適宜組み合わせて利用しても良い。
【００７２】
その他、一々例示はしないが、本発明は、その趣旨を逸脱しない範囲内において、種々の変更が加えられて実施されるものである。
【符号の説明】
【００７３】
１            印字ラベル作成装置（電子機器）
２            筐体
５            液晶ディスプレイ
６            開口部
６ａ          取付部
６ｂ          貫通孔
６ｃ          取付部の上面（取り付け面）
７            表示窓
１５          下カバー
１７          上カバー
３１          筒状部
３２          導通部材（導電部）
５０          キー基板
Ｇ            隙間
Ｒ１          放電経路
Ｒ２          放電経路
ｐ            定ピッチ
【図１】
0005626646.tif 000002
【図２】
0005626646.tif 000003
【図３】
0005626646.tif 000004
【図４】
0005626646.tif 000005
【図５】
0005626646.tif 000006
【図６】
0005626646.tif 000007
【図７】
0005626646.tif 000008
【図８】
0005626646.tif 000009
【図９】
0005626646.tif 000010